(57)【特許請求の範囲】
【請求項１】
幼児向け製品の組立部品一式であって、
（１）フレーム、シート、及び前記シートからの幼児の落下を防止するための、前記フレームに連結した幼児拘束部材を含む乳母車、
（２）フレーム、及び連結機構を含む幼児キャリヤであって、
前記連結機構が、前記乳母車の前記幼児拘束部材に連結するための第一のラッチ、及び第二のラッチ、並びに該第一および第二のラッチに連結され、前記幼児キャリヤに支持されるアクチュエータを含み、
前記第一のラッチが、前記幼児キャリヤを前記幼児拘束部材に固定するロック位置と、前記幼児キャリヤを前記乳母車から取り外すことのできるロック解除位置との間で移動可能である、
ところの幼児キャリヤ、及び
（３）前記幼児キャリヤを安全且つ確実に自動車に固定し前記幼児キャリヤを受けるための前記自動車に取り付けられる支持台であって、
前記第一のラッチを受けるための係合部、及び前記幼児キャリヤを前記支持台に固定するために前記連結機構の前記第二のラッチを受けるための固定取付部材を含む、ところの支持台、
を含み、
前記アクチュエータは、前記第一および第二のラッチの両方をそれぞれのロック解除位置に移動させる、
ところの幼児向け製品の組立部品一式。
【請求項２】
前記幼児拘束部材がトレイである、ところの請求項１の幼児向け製品の組立部品一式。
【請求項３】
前記トレイが、前記第一のラッチと連携するように設計されたノッチを含む、ところの請求項２の幼児向け製品の組立部品一式。
【請求項４】
前記幼児キャリヤのフレームが、前記乳母車のフレームと連携して前記幼児キャリヤを支持し安定させるように適合した支持張出し部を含む、ところの請求項１の幼児向け製品の組立部品一式。
【請求項５】
前記アクチュエータが、第一の閉位置と、第二の開位置とを有し、
前記第一のラッチが、第一の閉位置と、第二の開位置とを有し、
前記第二のラッチが、第一の閉位置と、第二の開位置とを有し、
前記アクチュエータの前記第一の閉位置が、前記第一のラッチの前記第一の閉位置と前記第二のラッチの前記第一の閉位置に一致し、
前記アクチュエータを前記前記第一の閉位置から前記第二の開位置へ移動させると、前記第一のラッチ及び前記第二のラッチの両方をそれぞれの前記第一の閉位置から前記第二の開位置へ移動する、
ところの請求項１の幼児向け製品の組立部品一式。
【請求項６】
前記アクチュエータが、前記幼児キャリヤに連結される、ところの請求項５の幼児向け製品の組立部品一式。
【請求項７】
前記連結機構が、スプリングバイアスを含む、ところの請求項１の幼児向け製品の組立部品一式。
【請求項８】
前記支持台が、前記第二のラッチを受けるために適合されるフックを含む、ところの請求項１の幼児向け製品の組立部品一式。
【請求項９】
フレーム、シート、前記シートからの幼児の落下を防止するための、前記フレームに連結した幼児拘束部材を含む乳母車や支持台に連結するための幼児キャリヤであって、
（１）フレーム、及び
（２）前記幼児キャリヤを前記乳母車に連結するための連結機構、
を含み、
前記連結機構が、第一のラッチと第二のラッチとに連結されるアクチュエータを含み、
前記第一のラッチが、前記幼児拘束部材との連結又は前記支持台との連結のためのものであり、当該幼児キャリヤを前記幼児拘束部材又は前記支持台に固定するロック位置と、当該幼児キャリヤを前記乳母車又は前記支持台から取り外すことのできるロック解除位置との間で移動可能であり、
前記第二のラッチが、前記支持台との連結のためのものであり、当該幼児キャリヤを前記支持台に固定するロック位置と、当該幼児キャリヤを前記支持台から取り外すことのできるロック解除位置との間で移動可能であり、
前記アクチュエータは、前記第一および第二のラッチをそれぞれのロック解除位置に移動させる、
ところの幼児キャリヤ。
【請求項１０】
前記アクチュエータが、指掛けを含む、ところの請求項９の幼児キャリヤ。
【請求項１１】
前記アクチュエータが、当該幼児キャリヤの頭部付近の当該幼児キャリヤを抱える部分付近に配列され、操作者が、幼児キャリヤを抱えている一方の手で前記アクチュエータを操作できるように前記アクチュエータが設計される、ところの請求項９の幼児キャリヤ。
【請求項１２】
前記アクチュエータが、第一のラッチに連結した中央アーム、及び複数の第二のラッチに連結した複数のサイドアームを含む、ところの請求項９の幼児キャリヤ。
【請求項１３】
前記第二のラッチが、前記第二のラッチをロック位置から解除位置へ枢動させるように設計した枢軸部を含む、ところの請求項９の幼児キャリヤ。
【請求項１４】
可撓性部材が前記アクチュエータの前記サイドフレームを前記第二のラッチに連結する、ところの請求項１２の幼児キャリヤ。
【請求項１５】
前記前記可撓性部材が、当該幼児キャリヤの前記フレームと連携してスプリングを保持し、前記スプリングが、前記アクチュエータにスプリングバイアスを与える、ところの請求項１４の幼児キャリヤ。
【請求項１６】
前記スプリングが、当該幼児キャリヤの前記フレームと一体に形成した後部壁と、前記可撓性部材の下部に形成した肩部との間に保持される、ところの請求項１５の幼児キャリヤ。
【請求項１７】
連結手段が、前記可撓性部材を前記アクチュエータに取り付け、前記連結手段が、前記アクチュエータのサイドアームのそれぞれに形成した開口及びタブと、前記可撓性部材に形成した幅広の部分とを含み、前記幅広の部分が、前記アクチュエータに形成した前記開口及び前記タブに係合する、ところの請求項１２の幼児キャリヤ。
【請求項１８】
前記アクチュエータが、前記第一及び第二のラッチの両方を同時に作動させる、ところの請求項９の幼児キャリヤ。
【請求項１９】
乳母車と幼児キャリヤとを組み合わせた幼児向け製品であって、
（１）フレーム、シート、及び前記シートからの幼児の落下を防止するための前記フレームに連結した幼児拘束部材を含む乳母車、及び
（２）フレーム、及び前記幼児キャリヤを前記乳母車に連結するための連結機構を含む幼児キャリヤであって、
前記連結機構が、前記乳母車の前記幼児拘束部材に連結するためのラッチを含み、
前記ラッチが、前記幼児キャリヤを前記幼児拘束部材に固定するロック位置と、前記幼児キャリヤを前記乳母車から取り外すことのできるロック解除位置との間で移動可能である、
ところの幼児キャリヤ、
を含む、乳母車と幼児キャリヤとを組み合わせた幼児向け製品。
【請求項２０】
前記幼児拘束部材が、乳母車のトレイである、ところの請求項１９の乳母車と幼児キャリヤとを組み合わせた幼児向け製品。
【請求項２１】
前記トレイが、前記ラッチと連携するように設計されたノッチを含む、ところの請求項２０の乳母車と幼児キャリヤとを組み合わせた幼児向け製品。
【請求項２２】
前記幼児拘束部材が、アーム棒である、ところの請求項１９の乳母車と幼児キャリヤとを組み合わせた幼児向け製品。
【請求項２３】
前記アーム棒が、前記ラッチと連携するように設計されたノッチを含む、ところの請求項２２の乳母車と幼児キャリヤとを組み合わせた幼児向け製品。
【請求項２４】
前記幼児キャリヤのフレームが、前記乳母車のフレームと連携して前記幼児キャリヤを支持し安定化するように適合される支持張出し部を含む、ところの請求項１９の乳母車と幼児キャリヤとを組み合わせた幼児向け製品。
【請求項２５】
前記ラッチが、軸線に関して枢動し、前記ラッチが、前記ラッチを前記ロック位置に傾斜されるように一体に適合したリーフスプリングを含む、ところの請求項１９の乳母車と幼児キャリヤとを組み合わせた幼児向け製品。
【請求項２６】
前記幼児キャリヤに配列したアクチュエータが、前記ラッチに連結される、ところの請求項１９の乳母車と幼児キャリヤとを組み合わせた幼児向け製品。
【請求項２７】
前記アクチュエータが、前記ラッチの一部を係合するように適合される中央アームを含み、前記アクチュエータが、ラッチをロック位置からロック解除位置へ枢動させる、ところの請求項２６の乳母車と幼児キャリヤとを組み合わせた幼児向け製品。
【請求項２８】
前記アクチュエータが、前記幼児キャリヤの頭部付近の前記幼児キャリヤを抱える部分付近に配列され、操作者が前記幼児キャリヤを抱えている一方の手で前記アクチュエータを操作できるように前記アクチュエータが設計される、ところの請求項２６の乳母車と幼児キャリヤとを組み合わせた幼児向け製品。
【請求項２９】
前記ラッチが、ロック位置に傾斜し、前記幼児キャリヤが前記乳母車に装着されるとき、前記ラッチが前記ロック位置に自動的に移動する、ところの請求項１９の乳母車と幼児キャリヤとを組み合わせた幼児向け製品。
【請求項３０】
幼児キャリヤと支持台とを組み合わせた幼児向け製品であって、
（１）固定取付部材を含む支持台、
（２）フレーム、及び前記幼児キャリヤを前記支持台に連結するための連結機構を含む幼児キャリヤであって、
前記連結機構が、前記幼児キャリヤを前記支持台に固定するロック位置と、前記幼児キャリヤを前記支持台から取り外すことのできるロック解除位置との間で移動可能である、前記固定取付部材に連結するためのラッチを含む、ところの幼児キャリヤ、及び
前記ラッチに連結され、前記幼児キャリアのフレームに支持されるアクチュエータ
を含み、
前記アクチュエータは、ラッチをラッチのロック解除位置に移動させる、
ところの幼児キャリヤと支持台とを組み合わせた幼児向け製品。
【請求項３１】
固定取付部材が、前記支持台に配列され、前記固定部材が、前記ラッチを係合するために適合される、ところの請求項３０の幼児キャリヤと支持台とを組み合わせた幼児向け製品。
【請求項３２】
前記固定取付部材が、フックである、ところの請求項３１の幼児キャリヤと支持台とを組み合わせた幼児向け製品。
【請求項３３】
前記フックが、複数のリブによって前記支持台に支持される、ところの請求項３２の幼児キャリヤと支持台とを組み合わせた幼児向け製品。
【請求項３４】
前記フックが、ピンによって前記支持台に取り付けられる、ところの請求項３２の幼児キャリヤと支持台とを組み合わせた幼児向け製品。
【請求項３５】
前記ピンが、前記ピンを補助的に固定するために、少なくとも一つの変形可能のフランジによって前記支持台に取り付けられる、ところの請求項３４の幼児キャリヤと支持台とを組み合わせた幼児向け製品。
【請求項３６】
前記ラッチが、前記ラッチをロック位置からロック解除位置へ枢動するように設計された枢動部を含む、ところの請求項３０の幼児キャリヤと支持台とを組み合わせた幼児向け製品。
【請求項３７】
可撓性部材が、前記ラッチにアクチュエータを連結し、前記可撓性部材が、そのカバーのフレームと連携してスプリングを保持し、前記スプリングが、前記アクチュエータにスプリングバイアスを与える、ところの請求項３０の幼児キャリヤと支持台とを組み合わせた幼児向け製品。
【請求項３８】
前記ラッチが、ロック位置に傾斜し、前記幼児キャリヤが前記支持台に装着されるとき、前記ラッチが自動的に前記ロック位置に移動する、ところの請求項３０の幼児キャリヤと支持台とを組み合わせた幼児向け製品。
【請求項３９】
前記フックの開口が、前記フックの上部が前記フック上に滑らかな表面を与えるように、ほぼ下方向に向く、ところの請求項３０の幼児キャリヤと支持台とを組み合わせた幼児向け製品。
【発明の詳細な説明】
【０００１】
【関連出願】
本出願は、本出願の譲受人の他の特許出願に関連する。関連する出願は、係属中の米国特許出願（１９９７年９月１０日付け出願、整理番号０２７２８４−５４２５）及び係属中の米国特許出願（１９９７年９月１０日付け出願、整理番号０２７２８４−５４２６）であり、これらは本出願の参考文献である。
【０００２】
【発明の属する分野】
本発明は、幼児向け製品の組立てに関し、特に、幼児を担持し運搬するための幼児キャリヤを乳母車や支持台といった幼児向け製品に取り付けるシステムに関する。
【０００３】
【従来の技術及び発明の解決しようとする課題】
幼児を担持運搬するための幼児キャリヤは従来の技術で既知のものである。しかし、幼児キャリヤを乳母車や支持台といった幼児向け製品に取り付けるシステムは複雑な機構で、その組立てが困難であり、付加的なハードウェアやアダプターを要し、また、その操作が複雑で困難である。
【０００４】
在来のシステムでは、幼児キャリヤと支持台との間の連結の解除操作が困難である。多くのシステムでは、このような連結を解除するため、多数の部品を同時に動作させなければならない。また、多くの在来のシステムでは、幼児キャリヤの下側にある支持台に解除機構がある。このような解除機構では、操作者は幼児キャリヤを支持台から取り外すために何度も両手を使用しなければならない。
【０００５】
また、多くの在来のシステムでは、幼児キャリヤを支持するための、乳母車と幼児キャリヤとの間を連結するための付加的な構成要素を乳母車に付加する必要がある。
【０００６】
したがって、本発明は、関連する従来の技術のシステムの一つ又はそれ以上の問題点を実質的に解決する乳母車、支持台及び幼児キャリヤの取付けシステムを提供する。
【０００７】
本発明の第一の課題は、操作者が幼児キャリヤを乳母車や支持台に容易に取り付けることのできる幼児キャリヤを提供することである。
【０００８】
本発明の第二の課題は、乳母車の使用のために、構成要素の取外しを不要とする乳母車と幼児キャリヤとの間の連結機構を提供することである。
【０００９】
本発明の第三の課題は、容易且つ経済的に製造できるデザインを提供することである。
【００１０】
本発明の第四の課題は、容易に使用できるデザインを提供することである。
【００１１】
本発明の第五の課題は、片手で解除できる連結機構を提供することである。
【００１２】
本発明の第六の課題は、幼児キャリヤを乳母車や支持台から簡単に取り外すため、アクチュエータを配置させた連結機構を提供することである。
【００１３】
本発明の第七の課題は、連結機構のラッチを同時に作動させるアクチュエータを提供することである。
【００１４】
本発明の付加的な特徴及び利点は、以下の説明又は本発明の実施により明らかとなるであろう。本発明の上記の課題及び他の利点は、詳細な説明、特許請求の範囲及び添付の図面に示す構造により得られるであろう。
【００１５】
ここで、以上及び以下の説明は本発明の例示であり、本発明は特許請求の範囲のとおりである。
【００１６】
【課題を解決するための手段】
上記課題を解決する本発明の幼児向け製品の組立部品一式は、乳母車と、幼児を担持運搬する幼児キャリヤと、幼児キャリヤを安全且つ確実に自動車に固定し、幼児キャリヤを受けるために自動車に取り付けた支持台とを含む。
【００１７】
乳母車は、フレームと、シートと、シートからの幼児の落下を防止するためにフレームに連結した幼児拘束部材とを含む。
【００１８】
幼児キャリヤは、フレームと、幼児キャリヤを乳母車や支持台に連結するための連結機構とを含み、連結機構は、乳母車の幼児拘束部材に連結するための第一のラッチと、第二のラッチとを含む。第一のラッチは、幼児キャリヤを幼児拘束部材に固定するロック位置と、幼児キャリヤを乳母車から取り外すことのできるロック解除位置との間で移動可能である。
【００１９】
支持台は、幼児キャリヤの第一のラッチを受けるための係合部と、幼児キャリヤを支持台に固定するために、幼児キャリヤの連結機構の第一及び第二のラッチを受けるための固定取付部材とを含む。
【００２０】
幼児キャリヤの連結機構は、上記の第一のラッチと第二のラッチとに連結されるアクチュエータを含む。アクチュエータは、幼児キャリヤの頭部付近の幼児キャリヤを抱える部分付近に配列され、操作者が、幼児キャリヤを抱えている一方の手でアクチュエータを操作できるように設計されている。
【００２１】
【発明の実施の形態】
図面を参照して、本発明の好適実施例を説明する。
【００２２】
本発明の実施例は、乳母車、支持台、及び乳母車や支持台に取付可能の幼児キャリヤを含む幼児向け製品のキット又は組立部品一式である。幼児キャリヤ１３０は、図１の破線矢印で示すように、乳母車１００又は支持台１５０に連結される。一般に、乳母車は、乳母車の折り畳みを可能にするラッチ機構１０８と、トレイ又はアーム棒のような幼児拘束部材１２０とを含む。支持台１５０は、自動車のシートに取り付けることができ、支持台１５０をシート（図示せず）に締め付けるシートベルト（図示せず）用の開口１５２を含む。支持台１５０は、幼児キャリヤ１３０を支持台１５０に固定するための少なくとも一つの固定取付部材（図示せず）も含む。
【００２３】
幼児キャリヤ１３０は、ハンドル１３２と、フレーム１４６と、連結機構（後述する）とを含む。この連結機構は、キャリヤ１３０の一方の端部付近に配列した第一のラッチ（つまり、キャッチ）と、その他方の端部付近に配列した第二のラッチ機構（好適に、二本のワイヤーラッチ）とを含む。幼児キャリヤ１３０を乳母車１００に取り付けるときは、キャッチ（後述する）を乳母車１００の幼児拘束部材１２０に係合する。幼児キャリヤ１３０を支持台１５０に取り付けるときは、キャッチをキャビティ１６２に設けた補強リップに係合し、また好適なワイヤーラッチ機構が支持台１５０の二つの固定取付部材を係合させる。すなわち、幼児キャリヤ１３０は、三点（好適に三角形）で支持台１５０に取り付けられる。
【００２４】
好適な連結機構は、キャッチに連結するアクチュエータ（図示せず）と、ワイヤーラッチ機構とを含む。アクチュエータを引くと、キャッチ及びワイヤーラッチ機構が同時にロック解除位置へ移動する。同一のアクチュエータで、幼児キャリヤ１３０を乳母車１００及び支持台１５０から簡単に取り外すことができる。
【００２５】
次に、図１を参照して、乳母車１００、支持台１５０、及び幼児キャリヤ１３０の好適実施例について説明する。図１には、使用し得る多数のタイプの乳母車のうちの一例を示す。好適な乳母車は、参考文献としての米国特許第５４５４５８４号（１９９５年１０月３日発行）に示され、この乳母車の操作について詳細に述べられている。
【００２６】
好適に、乳母車１００は、前方チューブ１０４、１０６と、後方チューブと、グリップ１１６を有するハンドル１１４と、それぞれのチューブの下端部に取り付けた車輪１２８とから構成されるフレーム１０２を含む。乳母車１００のフレーム１０２の折り畳みとその展開は、ラッチ機構１０８により可能となっている。ラッチ機構１０８は、ヒンジ１６８と、スライド式のキャッチ１１０とから構成される。好適な乳母車１００は、日よけ１１２と、シート１１８と、フレーム１０２に連結した幼児拘束部材１２０とを含む。
【００２７】
図１に示すように、幼児拘束部材１２０は、フレーム１０２の前方チューブに連結される。好適な幼児拘束部材１２０は、上面１２２と、前方チューブ１０４、１０６に結合した二つの側面部材１２６とを含む。各側面部材１２６は、連結部と、タブ（図１には図示せず）とを有し、前方チューブ１０４、１０６に取り付けられる。この連結部は略円形状の開口を有し、この連結部の開口に前方チューブ１０４、１０６を嵌め込んで締め留める。タブは、連結部の開口を広げて連結部を前方チューブ１０４、１０６から容易に取り外せるように各連結部に隣接して設けられている。幼児拘束部材１２０は、タブを外方向に引いて前方チューブ１０４、１０６から連結部の開口を引き広げることによりフレーム１０２から容易に取り外すことができる。この連結部とタブについての詳細は後述する。
【００２８】
幼児拘束部材１２０の好適実施例はトレイである。トレイ１２０は、その周囲に形成したリップ１２４を有する上面１２２を含む。リップ１２４は、物を保持するための領域を形成する。トレイ１２０の内側部分には、ノッチ１６６が形成される。ノッチ１６６は、トレイ１２０の内側面上の適当な位置に設けることができ、その形状は、ノッチとして機能する形状であればいずれの形状でもよい。ノッチについては後述する。当然に、アーム棒構造を幼児拘束部材に使用することができ、このような幼児拘束部材は平坦なトレイ面を含まないが、本発明の多くの目的を達成することができる。
【００２９】
好適に、トレイ１２０の側面部材１２６は、トレイ１２０を前方チューブ１０４、１０６に取り付けたまま乳母車１００を折り畳むことができる程度のクリアランスを与えるような長さにある。ここで、トレイ１２０は、いずれの適当な乳母車にも使用できる。
【００３０】
次に、支持台について説明する。好適な支持台１５０は、シートベルト（図示せず）用の開口１５２を形成した各側面にアーチ１５４を形成したものである。支持台１５０は、シートベルトによって自動車のシート（図示せず）に固定される。
【００３１】
支持台は、その上面に二つの受け溝１５６を有し、各受け溝は、上方に突き出した突出部１５８を有する。支持台１５０は、キャビティ１６２を形成する後部１６０（後述する）と、それぞれ固定取付部材（図示せず）を収容した二つのリセス１６２とを含む。キャビティ１６２と二つのリセス１６４は、好適な三点の位置に配設され、幼児キャリヤ１３０を連結する。この取付けの詳細については後述する。幼児キャリヤ１３０を支持台１５０に取り付けていないときの接触による事故を防止するために、固定取付部材は支持台１５０のリセス１５４内に取り付けられる。
【００３２】
固定取付部材の材料としては金属が好適であるが、他の適当な材料を使用してもよい。支持台はプラスチック製であるが、他の適当な材料から製造されてもよい。
【００３３】
本発明の幼児キャリヤの好適実施例を図１に示す。幼児キャリヤ１３０は、ハンドル１３２と、フレーム１４６と、連結機構（図示せず）とを含む。幼児キャリヤ１３０のハンドル１３２は、フレーム１４６に取り付けられる。ハンドル１３２は、クッション材１３６を有するグリップ１３４を含み、幼児キャリヤ１３０を容易に持ち上げることができる。幼児キャリヤ１３０を持ち上げる人は、様々な位置でグリップ１３４を握ることができる。ハンドル１３２は、様々な角度に操作できる。
【００３４】
連結機構は幼児キャリヤ１３０の背後に取り付けられ、この連結機構の操作により幼児キャリヤ１３０を乳母車１００や支持台１５０から取り外すことができる。
【００３５】
幼児キャリヤ１３０のフレーム１４６は、側面張出し部１４４を含み、また幼児を保持するためのキャビティ１３８を形成する。キャビティ１３８は、幼児に心地よい表面感を与えるクッション面１４０を有する。
【００３６】
好適に、幼児キャリヤ１３０のフレーム１４６は、フレーム１４６の左右に位置した一対の側面張出し部１４４を含む。側面張出し部１４４は、乳母車１００のラッチ機構１０８（つまり、スライド式ラッチ１１０）上に支持される。
【００３７】
好適に、幼児キャリヤ１３０のフレーム１４６とクッション面１４０は、幼児キャリヤ１３０に幼児を固定することができるように、それぞれベルト（図示せず）を取り付けるためのスロット１４２を有する。スロット１４２は、ベルトの端部を保持できるように一対ずつ設けられる。幼児キャリヤ１３０は、幼児キャリヤ１３０に幼児を固定することができるように、ベルトと一緒に機能するファスナー機構（図示せず）を含む。
【００３８】
幼児キャリヤを乳母車に連結した状態を図２に示す。図２には、本発明の幼児キャリヤ１３０と乳母車１００との組合せの一例を示す。幼児キャリヤ１３０は乳母車１００のフレーム１０２により支持される。図２に示す実施例では、幼児キャリヤ１３０はラッチ機構１０８上に支持される。特に、幼児キャリヤ１３０の側面張出し部１４４がスライド式キャッチ１１０上に支持される。ここで、幼児キャリヤ１３０をフレーム１０２上の適当な位置で支持することができる。
【００３９】
本発明のトレイ１２０の好適実施例を図３に示す。例示のトレイの構造及び取付けについては、参考文献としての米国特許出願番号第０８／７３８２３３号（１９９６年１０月２５日付け出願）（発明の名称：Ｄｅｔａｃｈａｂｌｅ  ａｎｄ  Ｒｏｔａｔａｂｌｅ  Ｓｔｒｏｌｌｅｒ  Ｔｒａｙ  Ａｃｃｅｓｓｏｒｙ）に開示されている。開示のトレイは一例であり、他の適当なトレイ又は幼児拘束部材を使用してもよい。
【００４０】
側面部材１２６の連結部３００が図示される。連結部３００は、略円形状の開口を有し、開口を形成する表面は前方チューブ１０４、１０６を握るように形成されている。タブは連結部３００に近接して設けられ、開口を広げて前方チューブ１０４、１０６を側面部材１２６から取り外すのに要する力を低減させている。
【００４１】
幼児キャリヤ１３０のフレーム１４６好適実施例の斜視図を図４に示す。幼児キャリヤ１３０は、底部４００と、後部４１４と、側面張出し部１４４と、連結機構４０２とを含む。
【００４２】
底部４００は、開口４０６と凹部４０８とを有するリッジ１７０を含む。各リッジ１７０は、幼児キャリヤ１３０を前後に揺らすことができるように丸みを付けて形成した表面部１７２を含む。この表面部１７２は、幼児キャリヤ１３０を前後に滑らかに揺らすことができるように、弾性クッションストリップ１７３を含む。開口４０６を支持台１５０の受け溝１５８に係合することにより、幼児キャリヤ１３０が支持台１５０に取り付けられる。また、リッジ１７０の凹部４０８をトレイ１２０のリップ１２４に係合させることにより、幼児キャリヤ１３０が乳母車１００に取り付けられる。各リッジ１７０は、開口４１２を有する後部４１０をさらに含む。
【００４３】
図示のフレーム１４６の後部４１４は、その先端に向いた開口４２０と、その底部に向いた垂直スロット４２４と、肩ベルトを案内するためのクリップ４５０とを有するボス４１８を含む。後部４１４は、フレーム１４６に幼児を固定するために、ベルト（図示せず）用のスロット４２２をさらに含むことができる。後部４１４は、後部４１４の先端付近に二つのリブ４１６を有する。これらリブ４１６はアクチュエータ４３０の移動を案内する。クリップ４５０は幼児キャリヤ１３０上の適当な位置に設けることができる。
【００４４】
好適に、幼児キャリヤ１３０のフレーム１４６は、フレーム１４６の左右に設けた側面張出し部１４４をさらに含む。側面張出し部１４４は、キャビティ４３８を形成し、キャビティ４３８内にはリブ４４０が間隔をあけて設けられている。側面張出し部１４４は、フレーム１４６を取り囲む張出し部４３６の一部に形成される。好適に、張出し部及び側面張出し部１４４は、幼児キャリヤ１３０のフレーム１４６と一体成形され、幼児キャリヤ１３０と同様の材料にて製造される。側面張出し部１４４は、キャビティ４３８内に間隔をあけて設けたリブ４４０を有するキャビティ４３８を形成する。リブ４４０の数は及びそれらの間隔は任意である。
【００４５】
リブ４４０の底面部４４２は、幼児キャリヤ１３０を支持する乳母車１００の所望の接触箇所に適合するように湾曲している。好適実施例では、リブ４４０は、乳母車１００の左右のラッチ機構１０８に適合した湾曲形状を有する。特に、リブ４４０は、幼児キャリヤ１３０の乳母車１００への取り付けの際、ラッチ機構１０８のスライド式キャッチ１１０上に支持される。
【００４６】
次に、上記した連結機構について図４及び図５〜９を参照して説明する。本発明の幼児キャリヤ１３０の好適実施例は連結機構４０２を含む。連結機構４０２は、キャッチ４２６と、アクチュエータ４３０とを含む。
【００４７】
キャッチ４２６は、幼児キャリヤ１３０のフレーム１４６の後部４１４のボス４１８に取り付けられる。キャッチ４２６は、曲部４２８と、バイアス部（後述する）とを含む。バイアス部により曲部に力が与えられており、これにより、曲部が垂直スロット４２４から顔を出す。幼児キャリヤ１３０が乳母車１００に取り付けられる際、キャッチ４２６が乳母車１００の幼児拘束部材１２０に係合する。
【００４８】
連結機構４０２のアクチュエータ４３０は、幼児キャリヤ１３０のフレーム１４６に取り付けられる。アクチュエータ４３０は、本体５００と、中央アーム４３２と、二つのウィング５０４とを有する。好適に、各ウィング５０４は中央アーム４３２に関して平行である。各ウィング５０４は、アーム５０６を含む。
【００４９】
アクチュエータ４３０の中央アーム４３２はボス４１８の開口４２０を通じて幼児キャリヤ１３０に取り付けられる。中央アーム４３２は開口４２０に挿入される。肩部４３４が、中央アーム４３２と本体５００との境界付近のアクチュエータ４３０上に設けられる。肩部４３４は、ボス４１８内への中央アーム４３２の移動範囲を制限する。各ウィング５０６のアーム５０６は、幼児キャリヤ１３０のリッジ１７０の後部４１０の開口４１２を通じて取り付けられる。
【００５０】
アクチュエータ４３０の中央アーム４３２の一部分には開口５２４が形成される。アクチュエータ４３０とキャッチ４２６とを連結するため、キャッチ４２６のバイアス部が、この開口５２４を通じて取り付けられる。アクチュエータ４３０のウィング５０４は連結部５０８を有する。この連結部５０８については後述する。
【００５１】
次に、幼児キャリヤ１３０の乳母車１００への取付けについて説明する。図１、２及び４に示すように、幼児キャリヤ１３０は、幼児が乳母車１００のハンドル１１４側に向くように配列される。キャッチ４２６は、ロック位置とロック解除位置との間で操作される。最初、幼児キャリヤ１３０を乳母車１００上に載せると、キャッチ４２６がトレイ１２０に接触し、キャッチ４２６がトレイ１２０の形状に沿って内側に押される。幼児キャリヤ１３０をさらに下げると、トレイ１２０のリップ１２４がフレーム１４６のリッジ１７０の凹部と係合する。一旦、キャッチ４２６がトレイ１２０の下にくると、バイアス部（後述する）からの力によりキャッチ４２６の曲部がトレイ１２０の下方でバイアス又は傾斜する。
【００５２】
好適に、キャッチ４２６とトレイ１２０のノッチ１６６とが連携して、ロック位置では、キャッチの曲部はトレイ１２０の下方側に傾斜し、さらにトレイ１２０の上方側に載せた幼児キャリヤ１３０のリッジ１７０とともにグリップ効果を発揮する。
【００５３】
幼児キャリヤ１３０をトレイ１２０から取り外すためには、アクチュエータを引いてキャッチをそのロック解除位置に移動させる。アクチュエータを引くと、キャッチ４２６が枢動し、その曲部がフレームから外れる。このロック解除位置では、キャッチはトレイ１２０と係合していないので、幼児キャリヤ１３０を持ち上げて乳母車１００から取り外すことができる。幼児キャリヤ１３０が取り外されても、トレイ１２０は乳母車１００に連結されたままでる。すなわち、幼児キャリヤ１３０が取り外されても、トレイ１２０はその機能的な特徴の全てを備えており、乳母車１００を適当な年頃の幼児のために直ちに使用することができる。
【００５４】
本発明のアクチュエータ４３０の好適実施例を図５〜９に示す。図５に示すように、アクチュエータ４３０は、ウィング５０４と、中央アーム４３２と、指掛け５０２を設けた本体５００とを含む。本体５００は、指掛け５０２の左右に設けた開口５２２を含む。
【００５５】
図６は、図５のアクチュエータ４３０の本体５００の断面を示す。アクチュエータ４３０の本体５００にはキャビティ５１０が形成され、このキャビティ５１０には間隔をあけてリブ５１２が設けられている。アクチュエータ４３０の底部４１６にはノッチ５１４が設けられている。ノッチ５１４は、幼児キャリヤ１３０のフレーム１４６の後部４１４のリブ４１６と係合する。このノッチ５１４は、ノッチ５１４にリブ４１６を係合させつつアクチュエータ４３０をフレーム１４６に沿って案内し移動させるために設けられたものである。
【００５６】
図７に示すように、アクチュエータ４３０のウィング５０４と中央アーム４３２は、アクチュエータ４３０の本体５００に関して角度αを付けて設けられている。角度を付けて取り付けるのは、フレーム１４６に沿ったアクチュエータ４３０の移動を容易にするためである。
【００５７】
中央アーム４３２とウィング５０４の連結部５０８の好適実施例を図８及び９に示す。好適に、ウィング５０４の連結部５０８は、それぞれ、ウィング５０４の端部付近に形成した開口５１８と、この開口内に張り出したタブ５２０とを含む。このタブ５２０については後述する。また、中央アーム４３２の端部付近には開口５１６が形成されている。
【００５８】
アクチュエータ４３０の形状は、キャッチ４２６とラッチとを連結するのに適当な形状であればよい。好適に、アクチュエータはプラスチック製であるが他の適当な材料から製造されてもよい。
【００５９】
本発明のアクチュエータの第二の好適実施例（図示せず）は、上記のウィング以外は上記のアクチュエータと同様である。第二の実施例は上記のような左右のウィングを有さず、アクチュエータの本体は上記の第一の実施例の本体よりも小形である。第二の実施例は、第一の実施例の中央アームと同様の中央アームを含む。アクチュエータの第二の実施例は、好適に、幼児キャリヤを乳母車に連結するときのみに使用される。上記したウィング５４０はワイヤーラッチを使用して幼児キャリヤを支持台へ連結するためのものなので、ウィング５４０は省くことができる。
【００６０】
キャッチの好適実施例を図１０及び１１に示す。キャッチ４２６は、幼児キャリヤ１３０を乳母車１００に取り付けるときにトレイ１２０に係合する曲部４２８を含む。キャッチ４２６はまた、その一端にフック６０８を有するバイアス部６０６を含む。バイアス部６０６の形状は、垂直スロット４２４から顔を出した曲部４２８をバイアス又は傾斜させることのできる形状であればよく、バイアス部６０６は、好適に、リーフスプリング又は板ばねである。キャッチ４２６はまた、曲部４２８の端部に設けた肩部６１０を含む。バイアス部６０６と曲部４２８の動作については後述する。
【００６１】
キャッチ４２６はまた、キャッチ４２６の左右方向に突き出した突出部６０２と、この突出部を通じる開口６０４とを有する連結部６００を含む。この連結部６００は、以下で説明するように、幼児キャリヤ１３０のフレーム１４６へのキャッチ４２６の取付けを容易にするためのものである。
【００６２】
アクチュエータ４３０とキャッチ４２６との間の連結の好適実施例を図１２及び１３に示す。図１２は、キャッチ４２６とアクチュエータ４３０とを連結した状態を示す。アクチュエータ４３０の中央アーム４３２は、フレーム１４６の後部４１４にあるボス４１８の開口４２０内に挿入されている。図示のように、キャッチ４２６のバイアス部６０６が中央アーム４３２の開口５２４を通じて挿入され、キャッチ４２６の連結部５０８が中央アーム４３２に接近したところにある。
【００６３】
アクチュエータ４３０を手前に引いてアクチュエータ４３０の中央アーム４３２を移動させてボス４１８の外側へ引き出すと、キャッチ４２６が突出部６０２に関して枢動する。キャッチ４２６がこのように枢動すると、キャッチの曲部４２８がボス４１８の垂直スロット４２６内に引き込まれる。
【００６４】
幼児キャリヤ１３０のフレーム１４６の内側には、後部４１４のボス４１８に一致するキャビティがある。このキャビティ７００の左右の側壁７０２の各々には溝７０４が形成されている。キャッチ４２６は、その突出部６０２を各側壁７０２に形成した溝７０４に係合させてキャビティ７００に取り付けられる。キャッチ４２６のバイアス部６０６はフレーム１４６の表面のスロット７０６に挿入される。バイアス部６０６がスロット７０６に隣接する下面７０８に押し当てられ、これにより、キャッチ４２６の曲部４２８がボス４１８の垂直スロット４２４から顔を出すような力が与えられる。キャッチの肩部がボスに係合することにより、曲部４２８の外側への移動が制限される。
【００６５】
図１３はキャッチ４２６をトレイ１２０上のノッチに係合させたところを示し、図１４はキャッチ４２６を引き込んでトレイ１２０との係合を解除したところを示す。
【００６６】
次に、幼児キャリヤと支持台との連結について説明する。図１５は、本発明に従った幼児キャリヤと、アクチュエータと、可撓性部材と、可撓性部材の下方部分とを示す。以下で詳細に説明するが、アクチュエータと、キャッチと、可撓性部材と、その下方部分とが連携して幼児キャリヤを支持台から着脱する。幼児キャリヤに関連した機構について説明し、次に支持台の構造について説明し、最後に幼児キャリヤと支持台との連結について説明する。
【００６７】
図１６は、幼児キャリヤ１３０の斜視断面図である。幼児キャリヤ１３０は、幾つかの要素を取り付けたフレーム１４６を有する。アクチュエータ４３０は、幼児キャリヤ１３０の下側に取り付けられ、幼児キャリヤ１３０の縦方向又は前後方向の軸線に沿って移動する。図１６には、幼児キャリヤの右側半分と、アクチュエータ４３０の左側全部が示される。アクチュエータ４３０は二つのウィング（つまり左右のサイドアーム）５０６と、中央アーム４３２とを有する。中央アームとキャッチ４２６の作動については幼児キャリヤと乳母車との連結に関連してすでに説明したとおりである。以下では、二つのサイドアーム５０６について説明する。二つのサイドアーム５０６は左右対称なので、代表的に一方のサイドアーム５０６について説明する。アクチュエータの詳細については図４〜９を参照してすでに説明したとおりである。
【００６８】
可撓性部材９０２の上端（図１７において左側の端部）とサイドアーム５０６の下端（図５において右側の端部）とが連結される。可撓性部材９０２は、後述する下部９０６を含む。この下部９０６はラッチ機構９０６と相互に連結されている。後述するように、ラッチ機構９０６は、支持台に配設した固定取付部材と連携して幼児キャリヤを支持台に固定する。
【００６９】
図１７〜１９はそれぞれ、可撓性部材９０２の側面図、平面図、及び斜視図である。可撓性部材９０２は、アクチュエータ４３０のサイドアーム５０６に連結するために設けられた上端連結部１０００を含む。図１８に示すように、上端連結部１０００は、前部１００２と、幅広の中央部１００４と、後部１００６とを含む。
【００７０】
可撓性部材９０２の下部９０６は、図１９に示すように構成される。下部９０６は、スプリング受け部１００８と、係合部１０１０と、穴部１０１２とを含む。好適なスプリング受け部１００８及び係合部１０１０は、一対の水平リブ１０１４と、一対の垂直リブ１０１６とを含む。これらリブは、スプリング受け部１００８及び係合部１０１０の作動を安定させ且つ案内させるように機能する。
【００７１】
次に、上端連結部１０００とアクチュエータ４３０のサイドアーム５０６との連結について説明する。図２０は、これらを連結したところの部分破断図である。特に、上端連結部１０００をサイドアーム５０６に挿入し、幅広の中央部１００４が開口５１８に挿入される。サイドアーム５０６の断面に示すように、サイドアーム５０６にはタブ５２０が設けられる。タブは、幅広の中央部１００４の両側に設けたキャビティ１１００（幅広の中央部１００４の平面図に示される）内に張り出しており、図２０に示すように、一対の向き合った張出し部１１０２を含む。張出し部１００２は、タブ５２０と係合して上端連結部１００をサイドアーム５０６にロックするために設けられる。
【００７２】
図２１は、アクチュエータ４３０に一対の可撓性部材９０２を連結したところを示す。図２２、２３及び２４はそれぞれ、図２１の１２Ａ−１２Ａ線断面図、１２Ｂ−１２Ｂ線断面図、及び１２Ｃ−１２Ｃ線断面図である。図２２は前部１００２とサイドアーム５０６との連結状態を示し、図２３は幅広の中央部１００４とサイドアーム５０６との連結状態を示し、図２４は後部１００６とサイドアームとの連結状態を示す。
【００７３】
図２２は、前部１００２がサイドアーム５０６の溝に配列されたところを示す。図示のように、前部１００２は、好適に、断面Ｉ字状である。
【００７４】
図２３は、幅広の中央部１００４がサイドアーム５０６の開口５１８に係合したところを示す。図２３に示すように、幅広の中央部１００４を開口５１８の上方側に配列して上端連結部１０００をサイドアーム５０６に挿入する。次に、タブ５２０により形成される開口を押し広げるように幅広の中央部１００４を下方へ押し下げる。図示のように、幅広の中央部１００４の下端は、幅広の中央部１００４の開口５１８への挿入を容易にするため、断面略鏃状となっている。幅広の中央部１００４が開口５１８に挿入されると、図示のように左右に張り出した部分１１０２がタブ５２０に当接、係合し、幅広の中央部１００４が開口５１８にロックされる。図２３に示すように、幅広の中央部１００４の上端はその下端と上下対称となっており、これにより、この部材の上下どちらの側を挿入してもよいようになっている。
【００７５】
図２４は、後部１００６とサイドアーム５０６との連結状態を示す。この後部もまた、好適に断面Ｉ字状である。
【００７６】
図２５は、支持台１５０の下部の部分斜視図である。幼児キャリヤ１３０のフレーム１４６は、単一の材料から一体に製造されてもよいが、好適に、別々の部材を組み合わせて製造してもよい。好適実施例は、幼児キャリヤ１３０のフレーム１４６に一体的に取り付けたカバー１７００を使用する。特に、図２５には、可撓性部材９０２の下部９０６と、中空円筒状に略示したスプリング１３００と、好適に略Ｓ字状に折り曲げたワイヤー形状のラッチ１３０２と、カバー１７００とが示される。カバー１７００は、一対のサイド張出し部１７０４、１７０６の間に伸長する中央横断部１７０２を含む。これら二つのサイド張出し部１７０４、１７０６は同様の構造であり、同様の構成要素を含む。簡単のため、一方のサイド張出し部１７０６についてのみ説明する。ここで、サイド張出し部１７０４は、サイド張出し部１７０６と同一の構成要素を有する。サイド張出し部１７０６は、内側エプロン１７０８と、屋根部１７１０と、外側エプロン１７１２とを含む。これら三つの構成要素は連携してスプリング１３００を包囲し、スプリング１３００の動作に影響するものを排除する。図２５の構成要素は、破線矢印にて示すように組み立てられる。
【００７７】
スプリング１３００の内部に上部連結部１０００を挿入し、スプリング１３００をスプリング受け部１００８に係合させて可撓性部材９０２に沿って配列する。次に、スプリング１３００の前方１３２０が水平及び垂直リブ１０１４、１０１６の各々の肩部１３０４に当接、係合するまで、スプリング１３００をこれらリブ１０１４、１０１６に沿って滑動させる。ここで、スプリング受け部１００８の水平及び垂直リブ１０１４、１０１６により、スプリング１３００が可撓性部材９０２の下部９０６に沿って配列される。スプリング１３００の後方１３０６をサイド張出し部１７０６に形成した後部壁１３０８に当接させる。ここで、スプリング１３００は圧縮スプリング（螺旋ばね）であり、下部９０６には、このスプリングにより下部９０６を図２５の右側方向に押し出そうとするスプリング力が作用する。
【００７８】
図２６は、カバー１７００の斜視図であり、サイド張出し部１７０６を示す。サイド張出し部１７０６の一部を詳細に示す。この図には、スプリング１３００を装着したところが示される。上述したように、スプリング１３００は、サイド張出し部１７０６に形成した後部壁１３０８と、可撓性部材９０２の下部９０６に形成した肩部１３０４とにより保持される。スプリング１３００は後部壁１３０８に当接して圧縮された状態にあり、可撓性部材９０２の下部９０６を押している。図２６に示すように、ガイド１７１４は緩やかに曲げられ、可撓性部材９０２を幼児キャリヤ１３０の形状にほぼ沿わせている。ガイド１７１４は可撓性部材９０２を角度を付けて受け、可撓性部材９０２を緩やかに曲げて平坦且つ水平（図示の符号９０３）にしている。ガイド１７１４は可撓性部材９０２を緩やかに曲げ、可撓性部材９０２をその移動範囲にわたって滑らかに移動させることができるようにしている。支持リブ１７１８が、後部壁１８０８と、ガイド１７１４の内側部分との間に設けられる。この支持リブ１７１８はガイド１７１４を補強するものである。
【００７９】
略Ｓ字状に折り曲げたワイヤー状の好適なラッチ１３０２を図２８に示す。ラッチ１３０２は、枢軸部１４００と、係合部１４０２と、受け部１４０４とを含む。枢軸部１４００は、幼児キャリヤ１３０の底面へ回転可能に取付けられる。係合部１４０２は、支持台に設けた固定取付部材に係合可能の形状にある。受け部１４０４は、可撓性部材９０２の下部９０６を受ける。
【００８０】
図２５には、下部９０６をラッチ１３０２の受け部１４０４に挿入するところが示される。好適実施例では、下部９０６の穴部１０１２をラッチの端部から挿通させ、受け部１４０４上に滑動させる。
【００８１】
ラッチ１３０２は、次に、幼児キャリヤ１３０の下部の受け構造に挿入される。特に、ラッチ１３０２の枢軸部１４００は、カバー１７００に取り付けた一対のスナップ式クリップ１３１０に挿入され、ラッチ１３０２を確実且つ前後方向に枢動回転可能に連結する。枢軸部１４００を挿入した後、ラッチ１３０２を横方向（すなわち左右方向）に配列し且つ安定させるために、カバー１７００から張り出した張出しボス１３１２がスナップ式クリップ１３１０の間に設けられる。この張出しボス１３１２はまた、カバー１７００を幼児キャリヤ１３０のフレーム１４６に取り付けるために使用される。
【００８２】
好適実施例は、カバー１７００を幼児キャリヤ１３０のフレーム１４６に取り付けるために使用する幾つかの部品を含む。図２７及び１６に示すように、カバー１７００上の取付フィン１７１６が、幼児キャリヤ１３０のフレーム１４６に設けた対応する数のカバースロット１７２０（図１６を参照）により受けられる。カバーの前方端の取付システムを図２７及び３４に示す。図２７に示すように、前方カバーフック１７２２が、フレーム１４６に形成したカバー受けリップ１７２４に係合する。機構学的なファスナー１７２６がまた、カバー１７００とフレーム１４６との連結に使用される。このファスナー１７２６は、カバー１７００に設けたファスナー開口１７２８と、ファスナーボス１７３２に形成した受け開口１７３０とを通じて伸長する。好適実施例はまた、カバー１７００に設けた前方端リブ１７３４を含み、この前方端リブ１７３４はフレーム１４６に設けたラベット１７３６に受けられる。これら取付部品の全ては、カバー１７００とフレーム１４６とを正確に配列させるように働くだけでなく、カバー１７００とフレーム１４６との間を強固に連結する。
【００８３】
図２９は、支持台１５０の部分断面図である。固定取付部材の好適な連結構造を明示できる位置の支持台１５０の断面を図示する。好適な取付部材は、図２９に示すように、フック１５００から構成される。上述したように、支持台１５０は幼児キャリヤ１３０の下部を受けるために特に使用される。支持台１５０は、受け溝１５６（図１を参照）に幼児キャリヤ１３０のリッジ１７０を受けるために特に使用される。支持台１５０と幼児キャリヤ１３０は、支持台１５０の受け溝１５６の突出部１５８が幼児キャリヤ１３０のリッジ１７０の開口４０６（図４を参照）と係合して配列される。
【００８４】
幼児キャリヤ１３０を下げると、幼児キャリヤ１３０のボス４１８（図４を参照）とアクチュエータ４３０が支持台１５０の後部１６０のキャビティ１６２と係合する。キャビティ１６２は幼児キャリヤ１３０の部品にクリアランスを与え、幼児キャリヤ１３０と支持台１５０とが固定される。一般に、支持台１５０の相補的な構造は、支持台上に幼児キャリヤ１３０を固定して配置するように機能する。
【００８５】
幼児キャリヤ１３０と支持台１５０との間の好適な連携は、上述した三点連結構造である。第一の連結点は、支持台の丸みを付けたリップと、幼児キャリヤ１３０のキャッチ４２６との間である。幼児キャリヤ１３０を支持台１５０に装着したところを図１２に示す。ロック状態にキャッチ４２６を係合した丸みを付けたリップ７２０を明示する支持台１５０の断面を図示する。好適な丸みを付けたリップ７２０は、その強度を向上するために丸みを付けたリップにわたって設けた複数のガスケット７２２、７２４を含む。幼児キャリヤ１３０を下げると、キャッチ４２６の下面が丸みを付けたリップに当接してキャッチ４２６が引き込まれるように傾き、次に図１２に示す位置に戻り、丸みを付けたリップにロックされる。図１６は、支持台に装着した状態の幼児キャリヤ１３０を示し、キャッチ４２６が丸みを付けたリップに係合したところを示す。
【００８６】
固定取付部材の好適な取付構造を図２９に示す。好適な一対の固定取付部材が三点取付形状の第二及び第三の連結点を与える。好適な構造は、キャビティ１５０２を含み、固定取付部材がキャビティ１５０２内に設けられる。キャビティ１５０２は、固定取付部材を受けるために、支持台１５０を下側に通じるスロット１５０４を含む。キャビティ１５０２はさらに、一対のリセス１５０６を含み、このリセス１５０６は、固定取付部材とその取付システムを支持するために、支持台１５０の下側に自立ボスを作り出す。
【００８７】
好適なフック１５００の挿入及び位置を明示するため、左側のキャビティ１５０２はスロット１５０４を通じる断面にて図示される。フック１５００の好適な取付システムはピン１５０８（その一端を図２９に示す）を含む。図示のように、フック１５００（好適に金属製）は、支持台構造の隣接するリブや表面に当接する形状にあり、フック１５００と支持台１５０との間を相互に強く連結し、また支持台１５０にフック１５００を精密且つ正確に配置する。特に、フック１５００の後部１５１０が支持台１５０のリブ１５１２に当接する。さらに強化し正確に配置するために、上方前部１５１４は支持台の前方フランジ１５１６に当接し、このフランジの下方端は支持台１５０の下方リブ１５２０に当接する。フック１５００の下方面１５２２は支持台１５０の水平部１５２４に実質的に当接する。
【００８８】
図３０は、支持台１５０の分解斜視図であり、好適なフック１５００が挿入するべきスロット１５０４の下方に示される。その底面は、図２９のキャビティ１５０２と相補的な形状にある。
【００８９】
図３１は、固定取付部材の左側の連結システムを示す。特に、図３１はスロット１５０４に挿入するフック１５００を示し、フック１５００は図２９に示す位置に達するまでスロット１５０４に挿入される。この形状では、フック１５００の穴部１６００が、スロット１５０４の向き合った側面に設けた一対の取付ボス１６０２を通じる開口１６０４と同軸に設けられる。
【００９０】
穴部１６００を開口１６０４に位置させた後、ピン１６０６をオリフィス内に挿入し、フック１５００を所定の位置に固定する。開口１６０４内にピン１６０６を挿入している間、ヘッド１６０８一対のフランジ１６１０に係合する。図３１に示すように、これらフランジは、取付構造の側壁から張り出し、挿入中のピンの軸線に近似して配設される。ヘッド１６０８がこれらフランジに接触した後、さらにピン１６０６を挿入すると、これらフランジ１６１０がピン１６０６の軸線に関して放射方向に広げられる。またさらにピン１６０６を挿入すると、ヘッド１６０８がフランジ１６１０を通過してフランジ１６１０が元に戻る。これにより、ピンのヘッドは、フランジ１６１０により装着された状態のままに維持される。固定取付部材のこの好適な取付構造は、ピンを装着した状態にするのに付加的なファスナーを何も要しないので、容易に使用できしかも容易に製造できる。
【００９１】
図３２は、スロット１５０４に沿った断面図であり、装着状態にある固定取付部材を示す。特に、装着したピン１６０６は、ランド１７００に隣接して配列したヘッド１６０８の内側面１６１２を含む。ヘッド１６０８はさらに、フランジ１６１０（そのうちの一方を図３２に示す）に支持される外側面１６１４を含む。ランド１７００及びフランジ１６１０はピンを所定の装着位置に固定する。
【００９２】
図３３は、幼児キャリヤ１３０を支持台１５０に連結したところを示す。上述したように、幼児キャリヤ１３０は、好適に、幼児キャリヤ１３０を支持台１５０に固定するために使用するキャッチ及び一対のワイヤーラッチをもった好適な三点連結システムにより、支持台１５０のキャビティに受けられ、適合される。好適な三点連結構造は、幼児キャリヤを非常に安全且つ確実に取り付けることのできるシステムを与える。特に、三点形状（すなわち三角形状）は、様々な場合に支持台に関する幼児キャリヤの移動を防止し、例えば、事故による衝撃や反動の際にも幼児キャリヤ１３０を安全且つ確実に固定したままにする。
【００９３】
図３４は、装着状態にある幼児キャリヤ１３０と支持台１５０の断面図である。特に、図３４は、幼児キャリヤ１３０を支持台１５０に固定するためのフック１５００とラッチ１３０２との係合状態を示す。ラッチ１３０２をフック１５００と連結するためには、単に、幼児キャリヤ１３０を支持台１５０上に下げるだけでよい。係合の直前、ラッチ１３０２の係合部１４０２がフック１５００の前傾スロット表面１９００に接触する。ラッチ１３０２はやや回転し、フック１５００の前部１９０２をクリヤーにする。幼児キャリヤ１３０をさらに下げると、ラッチ１３０２が、下部９０６を通じてラッチ１３０２の受け部１４０４に働くスプリング１３００の弾性力により、図３４に示す位置に移動する。
【００９４】
図３５は、図３４と同様の位置にあるフック１５００を係合するラッチ１３０２の断面図である。この位置はロック位置に一致し、幼児キャリヤ１３０が支持台１５０に確実に連結される。
【００９５】
幼児キャリヤ１３０の支持台１５０への装着を助けるために、傾斜指示器を使用することができる。いずれの在来の傾斜指示器も本発明とともに使用できる。好適な幼児キャリヤ１３０は、幼児キャリヤ１３０のフレーム１４６の一方又は両方の側壁に取り付けた傾斜指示器を含む。本発明に用いる傾斜指示器の一例としは、フレーム１４６の側部の一方に取り付けられる略不透明円形ディスク状のハウジングを含むものである。ハウジングの軸線に沿ってハウジングと一体に形成された中央柱がハウジング内に含まれる。好適に扇形の錘部材がハウジング内に配列され、錘部材がハウジング内でハウジングの軸線に関して自由に回転できるように、ハウジングの中央柱にハウジングの軸線と同軸に取り付けられる。錘部材及びハウジングは両方とも目盛りを含む。錘部材の目盛りは、幼児キャリヤ１３０が支持台に関するその固有の方位にあるときのハウジングの目盛りに整列するように設計される。よって、傾斜指示器を使用して、使用者は、支持台１５０に関する幼児キャリヤ１３０の正確な装着角度を決定でき、しかも幼児キャリヤ１３０を支持台１５０に容易且つ正確に装着できる。
【００９６】
図３６は、アクチュエータ４３０（図４を参照）の移動に一致する解除位置にあるラッチ１３０２とフック１５００を示す。上述したように、アクチュエータ４３０の移動により可撓性部材９０２が移動し、これにより、スプリング１３００が圧縮され、図３６に示す位置にラッチ１３０２が回転する。また、キャッチ４２６は回転し、丸みを付けたリップ７２０との係合が解除される。この位置では、幼児キャリヤ１３０を単に垂直方向に持ち上げるだけで、支持台１５０から取り外せる。
【００９７】
本発明の幼児キャリヤ、乳母車及び支持台システムの様々な変更物及び変形物が本発明の精神又は範囲から逸脱せずに当業者によりなされ得ることは明らかである。よって、本発明は、添付の特許請求の範囲及びその等価物内にある本発明の変更物及び変形物を網羅することを意図とする。
【図面の簡単な説明】
本明細書の一部をなす図面は、本発明の実施例を示すとともに本発明の原理を説明し、本発明をより理解させるためのものである。
【図１】図１は、幼児キャリヤ、乳母車及び支持台を含む本発明に従った幼児製品組立部品一式の等尺斜視図である。
【図２】図２は、本発明に従って幼児キャリヤを乳母車に取り付けた状態を示す。
【図３】図３は、本発明に従った乳母車用ノッチ付きトレイの斜視図である。
【図４】図４は、本発明に従った好適な幼児キャリヤの底面斜視図である。
【図５】図５は、本発明に従ったアクチュエータの平面図である。
【図６】図６は、本発明に従ったアクチュエータの断面図である。
【図７】図７は、本発明に従ったアクチュエータの側面図である。
【図８】図８は、本発明に従ったアクチュエータの斜視図である。
【図９】図９は、本発明に従ったアクチュエータの斜視図である。
【図１０】図１０は、本発明に従ったキャッチの側面図である。
【図１１】図１１は、本発明に従ったキャッチの斜視図である。
【図１２】図１２は、本発明に従った幼児キャリヤの一部拡大断面図である。
【図１３】図１３は、本発明に従った幼児キャリヤの一部拡大断面図である。
【図１４】図１４は、本発明に従った幼児キャリヤの一部拡大断面図である。
【図１５】図１５は、本発明に従った幼児キャリヤのフレームの斜視図である。
【図１６】図１６は、図１５のフレームの断面斜視図である。
【図１７】図１７は、本発明に従った可撓性部材の側面図である。
【図１８】図１８は、本発明に従った可撓性部材の平面図である。
【図１９】図１９は、本発明に従った可撓性部材の斜視図である。
【図２０】図２０は、本発明に従った可撓性部材とアクチュエータとを連結したところの拡大図である。
【図２１】図２１は、可撓性部材とアクチュエータとを連結したところを示す。
【図２２】図２２は、図２１の１２Ａ−１２Ａ線断面図である。
【図２３】図２３は、図２１の１２Ｂ−１２Ｂ線断面図である。
【図２４】図２４は、図２１の１２Ｃ−１２Ｃ線断面図である。
【図２５】図２５は、可撓性部材とラッチとの間の連結機構の分解図である。
【図２６】図２６は、可撓性部材とラッチとの間の連結機構の分解図である。
【図２７】図２７は、可撓性部材とラッチとの間の連結機構の分解図である。
【図２８】図２８は、ラッチの斜視図である。
【図２９】図２９は、支持台の一部拡大斜視断面図であり、固定取付部材を示す。
【図３０】図３０は、支持台の一部拡大斜視断面図であり、固定取付部材を示す。
【図３１】図３１は、固定取付部材を示す。
【図３２】図３２は、固定取付部材の取付けを示す。
【図３３】図３３は、幼児キャリヤを支持台に取り付ける直前の状態を示す。
【図３４】図３４は、ラッチがロック位置にあり、固定取付部材とラッチとが係合するところを示す。
【図３５】図３５は、ラッチがロック位置にあるところを示す。
【図３６】図３６は、ラッチが解除位置にあるところを示す。
【符号の説明】
１００・・・乳母車
１２０・・・幼児拘束部材
１３０・・・幼児キャリヤ
１５０・・・支持台
２６・・・キャッチ
４３０・・・アクチュエータ
９０２・・・可撓性部材
【図１】
0004191290.tif 000002
【図２】
0004191290.tif 000003
【図３】
0004191290.tif 000004
【図４】
0004191290.tif 000005
【図５】
0004191290.tif 000006
【図６】
0004191290.tif 000007
【図７】
0004191290.tif 000008
【図８】
0004191290.tif 000009
【図９】
0004191290.tif 000010
【図１０】
0004191290.tif 000011
【図１１】
0004191290.tif 000012
【図１２】
0004191290.tif 000013
【図１３】
0004191290.tif 000014
【図１４】
0004191290.tif 000015
【図１５】
0004191290.tif 000016
【図１６】
0004191290.tif 000017
【図１７】
0004191290.tif 000018
【図１８】
0004191290.tif 000019
【図１９】
0004191290.tif 000020
【図２０】
0004191290.tif 000021
【図２１】
0004191290.tif 000022
【図２２】
0004191290.tif 000023
【図２３】
0004191290.tif 000024
【図２４】
0004191290.tif 000025
【図２５】
0004191290.tif 000026
【図２６】
0004191290.tif 000027
【図２７】
0004191290.tif 000028
【図２８】
0004191290.tif 000029
【図２９】
0004191290.tif 000030
【図３０】
0004191290.tif 000031
【図３１】
0004191290.tif 000032
【図３２】
0004191290.tif 000033
【図３３】
0004191290.tif 000034
【図３４】
0004191290.tif 000035
【図３５】
0004191290.tif 000036
【図３６】
0004191290.tif 000037